【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
ネットワークを介したオンラインショッピングを提供するサーバ装置と、前記オンラインショッピングで販売する商品の在庫状況を示す在庫情報を蓄積する在庫情報データベースと、前記サーバ装置に通信ネットワークを介して接続して商品を発注する端末装置と、から構成されたネットワークシステムであって、
前記サーバ装置は、
見積作成依頼者が使用する前記端末装置からの指示に応じて、該端末装置によって指定された商品の見積を作成する見積作成手段と、
前記見積作成手段が見積を作成したこと及び／又は前記端末装置からの見積確認指示を契機に、該見積に示される商品の在庫状況を示す在庫情報を前記在庫情報データベースから取得する在庫情報取得手段と、
前記見積情報取得手段が取得した在庫情報に基づいて、前記見積に示される商品の中に完売商品があるか否かを判別する完売商品判別手段と、
前記完売商品判別手段によって完売商品がないと判別された場合、前記見積作成手段が作成した見積を前記見積作成依頼者が使用する端末装置に表示する見積提示手段と、
前記完売商品判別手段によって完売商品があると判別された場合、前記指定された商品から該完売商品を除いた商品についての再見積をおこなうか否かを問い合わせるページを生成して前記見積作成依頼者が使用する端末装置に表示する再見積確認手段と、
前記再見積確認手段によって表示されたページへの前記見積作成依頼者が使用する端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する再見積手段と、
を備えることを特徴とするネットワークシステム。
【請求項２】
前記サーバ装置は、
前記見積作成手段が生成した見積、または、前記再見積手段が生成した再見積ページの見積を、承認者が使用する前記端末装置に送信して該見積内容の承認を依頼する承認依頼手段をさらに備え、
前記在庫情報取得手段は、前記承認依頼手段による承認依頼に応じて、前記承認者が使用する端末装置から承認の回答を受信したことを契機に、前記指定された商品の在庫情報を前記在庫情報データベースから取得する、
ことを特徴とする請求項１に記載のネットワークシステム。
【請求項３】
前記完売商品判別手段は、前記承認の回答を受信したことを契機に前記在庫情報取得手段が取得した在庫情報に基づいて、前記承認依頼手段が送信した見積に示されている商品の中に完売商品があるか否かを判別する、
ことを特徴とする請求項２に記載のネットワークシステム。
【請求項４】
前記完売商品は、商品の在庫が僅かであり且つ当該商品の製造が終了しているもの、あるいは、製造が追いつかない状態のものを含む、
ことを特徴とする請求項１乃至３のいずれか１項に記載のネットワークシステム。
【請求項５】
ネットワークを介して接続される端末装置からの要求に応じてオンラインショッピングを提供するサーバ装置であって、
前記オンラインショッピングで販売する商品の在庫状況を示す在庫情報を蓄積する在庫情報データベースと、
見積作成依頼者が使用する前記端末装置からの指示に応じて、該端末装置によって指定された商品の見積を作成する見積作成手段と、
前記見積作成手段が見積を作成したこと及び／又は前記端末装置からの見積確認指示を契機に、該見積に示される商品の在庫状況を示す在庫情報を前記在庫情報データベースから取得する在庫情報取得手段と、
前記見積情報取得手段が取得した在庫情報に基づいて、前記見積に示される商品の中に完売商品があるか否かを判別する完売商品判別手段と、
前記完売商品判別手段によって完売商品がないと判別された場合、前記見積作成手段が作成した見積を前記見積作成依頼者が使用する端末装置に表示する見積提示手段と、
前記完売商品判別手段によって完売商品があると判別された場合、前記指定された商品から該完売商品を除いた商品についての再見積をおこなうか否かを問い合わせるページを生成して前記見積作成依頼者が使用する端末装置に表示する再見積確認手段と、
前記再見積確認手段によって表示されたページへの前記見積作成依頼者が使用する端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する再見積手段と、
を備えることを特徴とするサーバ装置。
【請求項６】
前記見積作成手段が生成した見積、または、前記再見積手段が生成した再見積ページの見積を承認者が使用する前記端末装置に送信して該見積内容の承認を依頼する承認依頼手段をさらに備え、
前記在庫情報取得手段は、前記承認依頼手段による承認依頼に応じて、前記承認者が使用する端末装置から承認の回答を受信したことを契機に、前記指定された商品の在庫情報を前記在庫情報データベースから取得する、
ことを特徴とする請求項５に記載のサーバ装置。
【請求項７】
前記完売商品判別手段は、前記承認の回答を受信したことを契機に前記在庫情報取得手段が取得した在庫情報に基づいて、前記承認依頼手段が送信した見積に示されている商品の中に完売商品があるか否かを判別する、
ことを特徴とする請求項６に記載のサーバ装置。
【請求項８】
前記完売商品は、商品の在庫が僅かであり且つ当該商品の製造が終了しているもの、あるいは、製造が追いつかない状態のものを含む、
ことを特徴とする請求項５乃至７のいずれか１項に記載のサーバ装置。
【請求項９】
ネットワークを介して接続される端末装置からの要求に応じてオンラインショッピングを提供するサーバ装置を制御するコンピュータに、
前記オンラインショッピングで販売する商品の在庫状況を示す在庫情報を記憶装置に蓄積する機能と、
見積作成依頼者が使用する前記端末装置からの指示に応じて、該端末装置によって指定された商品の見積を作成する機能と、
前記見積を作成したこと及び／又は前記端末装置からの見積確認指示を契機に、該見積に示される商品の在庫状況を示す在庫情報を前記記憶装置から取得する機能と、
取得した在庫情報に基づいて、前記見積に示される商品の中に完売商品があるか否かを判別する機能と、
完売商品がないと判別された場合、前記作成した見積を前記見積作成依頼者が使用する端末装置に表示する機能と、
完売商品があると判別された場合、前記指定された商品から該完売商品を除いた商品についての再見積をおこなうか否かを問い合わせるページを生成して前記見積作成依頼者が使用する端末装置に表示する機能と、
表示したページへの前記端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する機能と、
前記見積を承認者が使用する前記端末装置に送信して該見積内容の承認を依頼する機能と、
前記承認依頼に応じて、前記承認者が使用する端末装置から承認の回答を受信したことを契機に、前記指定された商品の在庫情報を前記記憶装置から取得する機能と、
前記承認の回答を受信したことを契機に取得した在庫情報に基づいて、前記承認を依頼した見積に示されている商品の中に完売商品があるか否かを判別する機能と、
を実現させることを特徴とするプログラム。
【手続補正２】
【補正対象書類名】明細書
【補正対象項目名】０００６
【補正方法】変更
【補正の内容】
【０００６】
上記目的を達成するため、本発明の第１の観点にかかるネットワークシステムは、
ネットワークを介したオンラインショッピングを提供するサーバ装置と、前記オンラインショッピングで販売する商品の在庫状況を示す在庫情報を蓄積する在庫情報データベースと、前記サーバ装置に通信ネットワークを介して接続して商品を発注する端末装置と、から構成されたネットワークシステムであって、
前記サーバ装置は、
見積作成依頼者が使用する前記端末装置からの指示に応じて、該端末装置によって指定された商品の見積を作成する見積作成手段と、
前記見積作成手段が見積を作成したこと及び／又は前記端末装置からの見積確認指示を契機に、該見積に示される商品の在庫状況を示す在庫情報を前記在庫情報データベースから取得する在庫情報取得手段と、
前記見積情報取得手段が取得した在庫情報に基づいて、前記見積に示される商品の中に完売商品があるか否かを判別する完売商品判別手段と、
前記完売商品判別手段によって完売商品がないと判別された場合、前記見積作成手段が作成した見積を前記見積作成依頼者が使用する端末装置に表示する見積提示手段と、
前記完売商品判別手段によって完売商品があると判別された場合、前記指定された商品から該完売商品を除いた商品についての再見積をおこなうか否かを問い合わせるページを生成して前記見積作成依頼者が使用する端末装置に表示する再見積確認手段と、
前記再見積確認手段によって表示されたページへの前記見積作成依頼者が使用する端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する再見積手段と、
を備えることを特徴とする。
【手続補正３】
【補正対象書類名】明細書
【補正対象項目名】００１０
【補正方法】変更
【補正の内容】
【００１０】
上記目的を達成するため、本発明の第２の観点にかかるサーバ装置は、
ネットワークを介して接続される端末装置からの要求に応じてオンラインショッピングを提供するサーバ装置であって、
前記オンラインショッピングで販売する商品の在庫状況を示す在庫情報を蓄積する在庫情報データベースと、
見積作成依頼者が使用する前記端末装置からの指示に応じて、該端末装置によって指定された商品の見積を作成する見積作成手段と、
前記見積作成手段が見積を作成したこと及び／又は前記端末装置からの見積確認指示を契機に、該見積に示される商品の在庫状況を示す在庫情報を前記在庫情報データベースから取得する在庫情報取得手段と、
前記見積情報取得手段が取得した在庫情報に基づいて、前記見積に示される商品の中に完売商品があるか否かを判別する完売商品判別手段と、
前記完売商品判別手段によって完売商品がないと判別された場合、前記見積作成手段が作成した見積を前記見積作成依頼者が使用する端末装置に表示する見積提示手段と、
前記完売商品判別手段によって完売商品があると判別された場合、前記指定された商品から該完売商品を除いた商品についての再見積をおこなうか否かを問い合わせるページを生成して前記見積作成依頼者が使用する端末装置に表示する再見積確認手段と、
前記再見積確認手段によって表示されたページへの前記見積作成依頼者が使用する端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する再見積手段と、
を備えることを特徴とする。
【手続補正４】
【補正対象書類名】明細書
【補正対象項目名】００１４
【補正方法】変更
【補正の内容】
【００１４】
上記目的を達成するため、本発明の第３の観点にかかるプログラムは、
ネットワークを介して接続される端末装置からの要求に応じてオンラインショッピングを提供するサーバ装置を制御するコンピュータに、
前記オンラインショッピングで販売する商品の在庫状況を示す在庫情報を記憶装置に蓄積する機能と、
見積作成依頼者が使用する前記端末装置からの指示に応じて、該端末装置によって指定された商品の見積を作成する機能と、
前記見積を作成したこと及び／又は前記端末装置からの見積確認指示を契機に、該見積に示される商品の在庫状況を示す在庫情報を前記記憶装置から取得する機能と、
取得した在庫情報に基づいて、前記見積に示される商品の中に完売商品があるか否かを判別する機能と、
完売商品がないと判別された場合、前記作成した見積を前記見積作成依頼者が使用する端末装置に表示する機能と、
完売商品があると判別された場合、前記指定された商品から該完売商品を除いた商品についての再見積をおこなうか否かを問い合わせるページを生成して前記見積作成依頼者が使用する端末装置に表示する機能と、
表示したページへの前記端末装置での操作に基づいて、再見積をおこなうか否かを判別し、再見積をおこなうと判別した場合、前記指定された商品から前記完売商品を除いた商品についての見積を示す再見積ページを生成して前記見積作成依頼者が使用する端末装置に表示する機能と、
前記見積を承認者が使用する前記端末装置に送信して該見積内容の承認を依頼する機能と、
前記承認依頼に応じて、前記承認者が使用する端末装置から承認の回答を受信したことを契機に、前記指定された商品の在庫情報を前記記憶装置から取得する機能と、
前記承認の回答を受信したことを契機に取得した在庫情報に基づいて、前記承認を依頼した見積に示されている商品の中に完売商品があるか否かを判別する機能と、
を実現させることを特徴とする。